(57)【要約】【課題】電力系統故障発生時に、計測端末装置でトリガ信号を検出しない場合であっても系統情報を収集する。【解決手段】複数の計測端末装置１を備えた電力系統計測システムであって、各計測端末装置１が、電力系統の電圧および電流の情報を含む状態信号を検出する検出手段と、検出された状態信号を所定期間保持するとともに、検出された後の所定期間経過後に新たに検出された状態信号によって順次上書きしていく状態信号保持手段と、検出手段で検出された状態信号の一部をトリガ信号として、通信ネットワーク２０を介して、トリガ信号とその時刻信号を他の計測端末装置に配信する配信手段と、状態信号保持手段に保持されている状態信号のうちのトリガ信号の前後の所定期間の状態信号を凍結保存する凍結保存手段と、を有する。【選択図】図１
2010193606.tif 000002
【特許請求の範囲】
【請求項１】
複数の電気所に設置されて通信ネットワークを介して互いに接続された複数の計測端末装置を備えた電力系統計測システムであって、
前記複数の計測端末装置それぞれが、
少なくとも電力系統の電圧および電流を含む情報を状態信号として検出する検出手段と、
前記検出手段で検出された状態信号を所定期間保持するとともに、状態信号が検出された後の所定期間経過後に新たに検出された状態信号によって順次上書きしていく状態信号保持手段と、
前記検出手段で検出された状態信号の一部をトリガ信号として、前記通信ネットワークを介して、前記トリガ信号とそのトリガ信号の時刻に関する信号とを他の計測端末装置に配信する配信手段と、
前記状態信号保持手段に保持されている状態信号のうちの、当該計測端末装置で検出された前記トリガ信号または前記配信手段によって配信された前記トリガ信号の前後の所定期間の状態信号を、凍結保存する凍結保存手段と、
を有すること、を特徴とする電力系統計測システム。
【請求項２】
前記複数の計測端末装置それぞれが、当該計測端末装置の前記検出手段によって検出されたかまたは他の計測端末装置から配信された前記トリガ信号の種別に応じて、そのトリガ信号とそのトリガ信号の時刻に関する信号とを他の複数の計測端末装置のうちのどこに配信するかを判定する配信判定手段を有し、
前記配信手段は、前記配信判定手段で配信することが判定された計測端末装置にのみ前記トリガ信号とそのトリガ信号の時刻に関する信号とを配信すること、を特徴とする請求項１に記載の電力系統計測システム。
【請求項３】
前記複数の計測端末装置それぞれが、前記トリガ信号とそのトリガ信号の時刻に関する信号とを前記トリガ信号の種別に応じて前記他の複数の計測端末装置それぞれに配信するか否かを配信判定手段で判定する判定基準を設定する判定設定手段を有すること、を特徴とする請求項２に記載の電力系統計測システム。
【請求項４】
前記複数の計測端末装置それぞれが、他の計測端末装置の前記配信手段によって配信された前記トリガ信号の種別に応じて、当該計測端末装置の前記凍結保存手段により前記トリガ信号の前後の所定期間の状態信号を凍結保存するか否かを判定する保存判定手段を有し、
前記凍結保存手段は、前記保存判定手段によって凍結保存すると判定された前記トリガ信号についてのみそのトリガ信号の前後の所定期間の状態信号を凍結保存すること、
を特徴とする請求項１ないし請求項３のいずれか一項に記載の電力系統計測システム。
【請求項５】
前記通信ネットワークを介して前記複数の計測端末装置に接続された電力所計算機をさらに備え、
前記電力所計算機が、前記計測端末装置の検出手段で検出されたトリガ信号とそのトリガ信号の時刻に関する信号とを、当該計測端末装置以外のどの計測端末装置に対して前記トリガ送信手段から配信するかを設定する設定手段を有すること、
を特徴とする請求項1ないし請求項4のいずれか一項に記載の電力系統計測システム。
【請求項６】
複数の電気所に設置されて通信ネットワークを介して互いに接続された複数の計測端末装置および少なくとも一つのデータ記録装置を備えた電力系統計測システムであって、
前記複数の計測端末装置それぞれが、
少なくとも電力系統の電圧および電流を含む情報を状態信号として検出する検出手段と、
前記検出手段で検出された状態信号を所定期間保持するとともに、状態信号が検出された後の所定期間経過後に新たに検出された状態信号によって順次上書きしていく状態信号保持手段と、
前記検出手段で検出された状態信号の一部をトリガ信号として、前記通信ネットワークを介して、前記トリガ信号とそのトリガ信号の時刻に関する信号とを前記データ記録装置に送信するトリガ送信手段と、
前記データ記録装置から前記通信ネットワークを介してトリガ信号とそのトリガ信号の時刻に関する信号とを受信する第１のトリガ受信手段と、
前記状態信号保持手段に保持されている状態信号のうちの、当該計測端末装置で検出された前記トリガ信号または前記第１のトリガ受信によって受信された前記トリガ信号の前後の所定期間の状態信号を、前記通信ネットワークを介して前記データ記録装置に送信するデータ送信手段と、
を有し、
前記データ記録装置は、
前記複数の計測端末装置のトリガ送信手段によって送信されたトリガ信号とそのトリガ信号の時刻に関する信号とを受信する第２のトリガ信号受信手段と、
前記第２のトリガ信号受信手段によって受信したトリガ信号とそのトリガ信号の時刻に関する信号とを、そのトリガ信号が送信された元の計測端末装置以外の計測端末装置に配信するトリガ信号配信手段と、
前記計測端末装置のデータ送信手段によって送信された前記状態信号を凍結保存する凍結保存手段と、
を有すること、を特徴とする電力系統計測システム。
【請求項７】
前記通信ネットワークを介して前記複数の計測端末装置に接続された電力所計算機をさらに備え、
前記電力所計算機が、前記計測端末装置の検出手段で検出されたトリガ信号とそのトリガ信号の時刻に関する信号とを、当該計測端末装置以外のどの計測端末装置に対して、前記トリガ送信手段から前記データ記録装置を経て配信するかを設定する設定手段を有すること、
を特徴とする請求項６に記載の電力系統計測システム。
【請求項８】
前記状態信号は、電力系統の保護装置から遮断器への入／切制御指令信号、電力系統の遮断器のパレットの状態、電力系統の変圧器のタップ値、ならびに、電力系統のタップ切替昇降制御指令信号のいずれか一種類以上を含むこと、を特徴とする請求項1ないし請求項７のいずれか一項に記載の電力系統計測システム。
【発明の詳細な説明】
【技術分野】
【０００１】
この発明は、電力系統の状態変化を検出して、電力系統の電気量を計測する電力系統計測システムに関するものである。
【背景技術】
【０００２】
従来の典型的な電力系統で使用されているネットワーク形故障点標定装置（フォールトロケータ）のシステム構成を図１７に示す。また、図１８は、図１７の電力系統計測システムにおける系統電気量のデータ凍結の手順を示すタイムチャートである。
【０００３】
ネットワーク形フォールトロケータは、計測端末装置１０１と親局装置１０２が通信ネットワークを介して接続されている。計測端末装置１０１は、系統電気量（電圧および電流）を常時計測して所定の期間だけ一時記憶し、所定期間が過ぎてさらに新しい系統電気量が取り込まれると古いデータから順次上書きされていく構造になっている。
【０００４】
系統故障が発生した場合は、計測端末装置１０１において故障検出し、これをトリガ信号として系統故障前後の系統電気量を凍結する。すなわち、その時点で一時記憶されているデータを凍結データとして保存する。
【０００５】
次に、保護継電装置（リレー盤）１０３にて故障除去した場合は、保護継電装置１０３から計測端末装置１０１にトリップ情報（５２ＴＸ）を渡し、計測端末装置１０１は親局装置１０２に対してトリップ情報とトリップした時の動作時刻を付加して伝送する。親局装置１０２は、トリップ情報を受信すると、トリップ情報の動作時刻を基準として、基準時刻前数サイクル、基準時刻後数サイクルの系統情報を計測端末装置１０１に対しての送信要求を行なう。計測端末装置１０１は、記録データの中から要求データを切り出して親局装置１０２へ送信する。
【０００６】
一方、特許文献1に開示された「自動オシロ装置を組込んだ制御システム」では、複数の分散制御装置にて記録されたデータから、必要とする時刻区間のデータの送信要求を行なっている。
【０００７】
このシステムでは、送電線等の複数の各設備に対応して分散制御装置および保護装置を分散配置し、これらの各分散制御装置と電気所全体の監視制御を行なう監視制御装置およびオシロ処理装置とはＬＡＮを介して接続されている。そして、分散制御装置には、計器用変流器（ＣＴ）および計器用変圧器（ＰＴ）が接続されている。オシロ処理装置には、オシロ出力装置が接続されている。
【０００８】
系統事故が発生した場合、該当する保護装置が動作し、この保護装置より事故情報が分散制御装置を中継してＬＡＮを経由し、オシロ処理装置へ伝送される。オシロ処理装置は、この故障情報を受信するとオシロ起動条件成立と判断し、全ての分散制御装置に対してオシロ起動信号を一斉に送出する。各分散制御装置は、オシロ処理装置からのオシロ起動信号を受信した後、記録データの保存を行なう。この後、起動時の時刻を基準にし、この起動時より前後数サンプリングデータをオシロ処理装置に対して送出する。
【先行技術文献】
【特許文献】
【０００９】
【特許文献１】特開平２−１０１９３８号公報
【発明の概要】
【発明が解決しようとする課題】
【００１０】
現行のネットワーク形フォールトロケータにおいては、保護継電装置からのトリップ情報（５２ＴＸ）を計測端末装置が受信しない限り、計測端末装置は親局装置に対してトリップ情報を送信しないため、故障点標定演算は実施されないという課題がある。
【００１１】
系統故障発生地点より遠方の計測端末装置では、電気量の変化が小さくトリガ信号を検出しない可能性があり、系統情報を記録することができない場合がある。このため、系統現象を検出した領域しか系統情報を収集できないという課題があった。
【００１２】
特許文献1に開示された技術においては、系統で事故が発生したことを保護装置が検出して、この事故情報が分散制御装置を中継してオシロ処理装置へ伝送されたことを受けて、オシロ処理装置は各分散制御装置に対して記録データ送出要求を行なっている。したがって、保護装置が系統事故を検出しない場合は、データ記録することはできないという課題がある。
【００１３】
また、現行のオシロ処理装置は、主に電力所毎に設置され、電力所が管轄する電気所（変電所）は限定されている。そのため、オシロ処理装置のデータ収集範囲は自ずと限定されている。
【００１４】
したがって、系統故障発生時にオシロ解析する場合は、複数の電気所のデータを用いて故障解析する必要があるが、現状はオフラインでの解析しかできないという課題があった。
【００１５】
本発明はかかる事情に鑑みてなされたものであって、電力系統故障発生時に、その故障発生地点から遠方であることなどの事情によって、計測端末装置で、電気量の変化に基づくトリガ信号を検出しない場合であっても、系統情報を収集できるようにすることを目的とする。
【課題を解決するための手段】
【００１６】
上記目的を達成するために、本発明に係る電力系統計測システムは、複数の電気所に設置されて通信ネットワークを介して互いに接続された複数の計測端末装置を備えた電力系統計測システムであって、前記複数の計測端末装置それぞれが、少なくとも電力系統の電圧および電流を含む情報を状態信号として検出する検出手段と、前記検出手段で検出された状態信号を所定期間保持するとともに、状態信号が検出された後の所定期間経過後に新たに検出された状態信号によって順次上書きしていく状態信号保持手段と、前記検出手段で検出された状態信号の一部をトリガ信号として、前記通信ネットワークを介して、前記トリガ信号とそのトリガ信号の時刻に関する信号とを他の計測端末装置に配信する配信手段と、前記状態信号保持手段に保持されている状態信号のうちの、当該計測端末装置で検出された前記トリガ信号または前記配信手段によって配信された前記トリガ信号の前後の所定期間の状態信号を、凍結保存する凍結保存手段と、を有すること、を特徴とする。
【発明の効果】
【００１７】
本発明によれば、任意の電気所で検出した系統現象の検出時刻と同じタイミングで、広域の電気量計測とデータ記録が可能となる。これにより、詳細な系統現象解析が可能となる。
【図面の簡単な説明】
【００１８】
【図１】本発明に係る電力系統計測システムの第1の実施形態の構成を示す系統図である。
【図２】本発明に係る電力系統計測システムの第1の実施形態における電気所計測端末装置のシステム構成を示す回路図である。
【図３】本発明に係る電力系統計測システムの第1の実施形態における各電気所計測端末装置のモジュール構成を模式的に示す説明図である。
【図４】本発明に係る電力系統計測システムの第1の実施形態における系統電気量のデータ記録の流れを示す流れ図である。
【図５】本発明に係る電力系統計測システムの第1の実施形態における系統電気量のデータ凍結の手順を示すタイムチャートである。
【図６】本発明に係る電力系統計測システムの第２の実施形態における各電気所計測端末装置のモジュール構成を模式的に示す説明図である。
【図７】本発明に係る電力系統計測システムの第２の実施形態におけるシーケンス処理の判定表である。
【図８】本発明に係る電力系統計測システムの第２の実施形態におけるシーケンス処理部の判定フローを示す流れ図である。
【図９】本発明に係る電力系統計測システムの第３の実施形態における各電気所計測端末装置のモジュール構成を模式的に示す説明図である。
【図１０】本発明に係る電力系統計測システムの第３の実施形態におけるシーケンス処理の判定表である。
【図１１】本発明に係る電力系統計測システムの第４の実施形態におけるトリガ出力設定部を模式的に示す説明図である。
【図１２】本発明に係る電力系統計測システムの第５の実施形態の構成を示す系統図である。
【図１３】本発明に係る電力系統計測システムの第５の実施形態における各電気所計測端末装置のモジュール構成を模式的に示す説明図である。
【図１４】本発明に係る電力系統計測システムの第５の実施形態における系統電気量のデータ記録の流れを示す流れ図である。
【図１５】本発明に係る電力系統計測システムの第６の実施形態における各電気所計測端末装置のモジュール構成を模式的に示す説明図である。
【図１６】本発明に係る電力系統計測システムの第６の実施形態におけるトリガ信号出力範囲整定表である。
【図１７】従来の電力系統計測システムの構成例を示す説明図である。
【図１８】図１７の電力系統計測システムにおける系統電気量のデータ凍結の手順を示すタイムチャートである。
【発明を実施するための形態】
【００１９】
以下に、図面を参照しながら本発明に係る電力系統計測システムの実施形態について説明する。ここで、互いに同一又は類似の部分には共通の符号を付して、重複説明は省略する。
【００２０】
［第1の実施形態］
図１は本発明に係る電力系統計測システムの第1の実施形態の構成を示す系統図である。図２は第1の実施形態における電気所計測端末装置のシステム構成を示す回路図である。図３は第1の実施形態における電気所計測端末装置の構成を示す回路図である。図４は第1の実施形態における系統電気量のデータ記録の流れを示す流れ図である。図５は第1の実施形態における系統電気量のデータ凍結の手順を示すタイムチャートである。
【００２１】
図１に示すように、電気所計測端末装置１は、Ａ電気所からＮ電気所それぞれに設置され、これらは通信ネットワーク２０を介して接続されている。
【００２２】
図２に示すように、電気所計測端末装置１には、高圧系統母線電圧、送電線電流、変圧器一次・二次側電流、低圧系統母線電圧、変圧器のタップ値、保護装置からの遮断器制御指令信号が取り込まれるように構成されている。また、故障を修復するための保護継電器（保護リレー）１５が配置されている。
【００２３】
図３に示すように、各電気所計測端末装置１は、系統状態の変化を検出する起動条件検出部２、起動条件に基づき記録データ種別を判定するシーケンス処理部３、系統情報を記録する記録データ部４、トリガ指令出力部５、トリガ指令入力部６を有する。計測端末装置１は、系統電気量（電圧および電流）を常時計測して所定の期間だけ一時記憶し、所定期間が過ぎてさらに新しい系統電気量が取り込まれると古いデータから順次上書きされていく構造になっている。
【００２４】
図４および図５に示すように、系統故障が発生すると（ステップＳ１）、Ａ電気所の計測端末装置にて故障検出リレーが動作する（ステップＳ２）。これをトリガ起動信号として系統故障発生前後の数サイクルの系統電気量（電圧および電流）を凍結データとして記録（凍結保存）する（ステップＳ３）。また、Ａ電気所の計測端末装置は、他電気所の計測端末装置に対して、トリガ起動信号に系統故障発生時刻を付加して配信する（ステップＳ４）。このトリガ起動信号を受信したＢ，Ｃ，Ｎ電気所の計測端末装置は、トリガ起動信号に付加された絶対時刻を基準に系統故障発生前後の数サイクルの系統電気量（電圧および電流）を記録（凍結保存）する（ステップＳ５）。
【００２５】
以上説明した第1の実施形態によれば、系統故障より離れた電気所で故障検出されない電気所においても、系統情報の収集が可能となる。さらに、同一時刻における広域の系統現象が把握することが可能となる。
【００２６】
［第２の実施形態］
図６は本発明に係る電力系統計測システムの第２の実施形態における各電気所計測端末装置のモジュール構成を模式的に示す説明図である。図７は第２の実施形態におけるシーケンス処理の判定表である。図８は第２の実施形態におけるシーケンス処理部の判定フローを示す流れ図である。
【００２７】
この実施形態では、Ａ電気所の計測端末装置１からのトリガ信号をＢ電気所の計測端末装置１が受信して（ステップＳ１１）、シーケンス処理部５にて、他電気所へのトリガ信号送信要否の判定を行なう。すなわち、図示の例では、まず、トリガ信号種別１か否かを判定し（ステップＳ１２）、これがＹｅｓの場合は計測端末装置群Ｃへトリガ信号を配信してデータ記録（凍結保存）を行なうように判定処理を行なう（ステップＳ１３）。つぎにトリガ信号種別２か否かを判定し（ステップＳ１４）、これがＹｅｓの場合は計測端末装置群Ｄへトリガ信号を配信する（ステップＳ１５）。つぎにトリガ信号種別３か否かを判定し（ステップＳ１６）、これがＹｅｓの場合は計測端末装置群ＣおよびＤへトリガ信号を配信する（ステップＳ１７）。トリガ信号種別が１でも２でも３でもない場合は他電気所へトリガ配信しない（ステップＳ１８）。
【００２８】
この実施形態によれば、同一の事象により広域の系統情報を収集することが可能となり、広域の系統解析が可能となる。
【００２９】
［第３の実施形態］
図９は本発明に係る電力系統計測システムの第３の実施形態における各電気所計測端末装置のモジュール構成を模式的に示す説明図である。図１０は第３の実施形態におけるシーケンス処理の判定表である。
【００３０】
この実施形態では、Ａ電気所の電気所計測端末装置からのトリガ信号をＢ電気所の電気所計の測装置トリガ指令入力部６にて受信して、このトリガ指令を受けて記録データ４にデータ記録（凍結保存）するか否かを、シーケンス処理部５にて判定を行なう。
【００３１】
Ａ電気所の計測端末装置からのトリガ信号を受信して、Ｂ電気所の電気所計測端末装置は、当該電気所計測端末装置にて検出した起動条件の種別と、Ａ電気所から受信したトリガ信号種別によりデータ記録（凍結保存）する必要があるか否かを判定処理部５にて判定して、データ記録（凍結保存）を行なう。
【００３２】
Ａ電気所からトリガ信号種別１を受信し、Ｂ電気所の計測端末装置１にて起動条件種別１を検出している場合は、データ記録（凍結保存）を実施する。しかし、起動条件種別２を検出している場合は、データ記録（凍結保存）を実施しないこととする。同様に、トリガ信号種別２を受信し、当該計測端末装置１にて起動条件種別１を検出した場合は、データ記録（凍結保存）を実施するが、起動条件種別２を検出している場合はデータ記録（凍結保存）を実施しないこととする。
【００３３】
この実施形態によれば、トリガ信号を受信するとデータ記録（凍結保存）の間は、後着のトリガ信号は受信しないこととして、データ記録処理を優先して行なうこととしている。受信したトリガ信号全てに対してデータ記録（凍結保存）を行なうように設定していた場合は、不要なトリガ信号によってもデータ記録（凍結保存）処理を行なうこととなり、必要なトリガ信号によるデータ記録（凍結保存）ができない場合がある。トリガ起動条件の設定を行なうことにより、必要な系統現象においてのみデータ記録を行なうこととなり、確実にデータ記録することが可能となり、高精度な系統解析が可能となる。
【００３４】
［第４の実施形態］
図１１は本発明に係る電力系統計測システムの第４の実施形態におけるトリガ出力設定部を模式的に示す説明図である。この実施形態では、トリガ信号種別１ないしトリガ信号種別ｎの信号に対して、出力するか否かの設定を行なうことができる。
【００３５】
トリガ信号種別１において電気所計測端末装置Ｂへトリガ信号を出力したい場合は、対応する可変設定部の接点をＯＮにする。トリガ信号を出力しない場合は、当該可変設定部の接点をＯＦＦにする。
【００３６】
全ての計測端末装置に対してトリガ指令出力した場合は、データ収集不要な電気所のからも記録データが送られてくるため、大量のデータを収集することとなる。本実施形態では、トリガ信号種別によりデータ収集要否を設定することにより、必要なデータのみ収集することとなり、効率的なデータ解析が可能となる。
【００３７】
［第５の実施形態］
図１２は本発明に係る電力系統計測システムの第５の実施形態の構成を示す系統図である。図１３は第５の実施形態における各電気所計測端末装置のモジュール構成を模式的に示す説明図である。図１４は第５の実施形態における系統電気量のデータ記録の流れを示す流れ図である。
【００３８】
この実施形態では、電気所計測端末装置は、Ａ電気所からＮ電気所に設置され、これらは通信ネットワーク２０を介して接続されている。また、通信ネットワーク２０にデータ記録装置７が設置されている。
【００３９】
データ記録装置７は、トリガ指令入力部６、シーケンス処理部３、トリガ指令出力部５、
電気所計測端末装置１は、系統状態の変化を検出する起動条件検出部２、起動条件に基づき記録データ種別を判定するシーケンス処理部３、計測端末装置から送信されてくる計測データを記録する記録データベース８、トリガ指令出力部５を有する。
【００４０】
図１４で、系統故障が発生すると（ステップＳ２１）、Ａ電気所の計測端末装置１にて故障検出リレーが動作する（ステップＳ２２）。これをトリガ起動信号として系統故障発生前後の数サイクルの系統電気量を記録（凍結保存）する（ステップＳ2３）。また、Ａ電気所の計測端末装置１は、データ記録装置７に対して、トリガ起動信号に系統故障発生時刻を付加して送信する（ステップＳ２４）。このトリガ起動信号を受信したデータ記録装置７は、シーケンス処理部３にて判定処理を行ない（ステップＳ２５）、他の計測端末装置群９または、計測端末装置群１０へトリガ指令を出力する（ステップＳ２６）。トリガ指令を受信した計測端末装置群９または計測端末装置群１０は、系統電気量を記録（凍結保存）する（ステップＳ２７）。
【００４１】
この実施形態によれば、トリガ指令出力先を設定変更したい場合に、データ記録装置においてトリガ指令出力先を設定することとなるため、データ記録装置のシーケンス処理部１箇所のみの設定変更で対応できる。このため、第1の実施形態のように全ての電気所計測端末装置において設定変更が必要となる場合に比べて、短時間で設定変更が可能である。
【００４２】
［第６の実施形態］
図１５は本発明に係る電力系統計測システムの第６の実施形態における各電気所計測端末装置のモジュール構成を模式的に示す説明図である。図１６は第６の実施形態におけるトリガ信号出力範囲整定表である。
【００４３】
Ａ電気所からＮ電気所のそれぞれに設置された電気所計測端末装置１は、通信ネットワーク２０を介して互いに接続されている。また、通信ネットワーク２０にデータ記録装置７が設置されている。また、整定変更のための媒体として電力所計算機（ＰＣ）１１が設置されている。
【００４４】
図１６に示すように、当該電気所計測端末装置からトリガ指令出力を実施する場合は「１」、指令出力しない場合は「０」として、整定表に書き込む。遠隔地よりこの整定表に書き込み操作を行なうことにより、各電気所計測端末装置の整定が書き換わることを可能とする。
【００４５】
この実施形態によれば、電力所計算機１１からの操作により複数の電気所に跨る全ての電気所計測端末装置に対して一括して設定変更できる。現地に出向くことなく、遠隔地から整定変更が可能となるため、時間の省力化を図ることができる。
【符号の説明】
【００４６】
１：計測端末装置
２：起動条件検出部
３：シーケンス処理部
４：記録データ部
５：トリガ指令出力部
６：トリガ指令入力部
７：データ記録装置
８：記録データベース
１１：電力所計算機
１５：保護継電器
２０：通信ネットワーク
【図１】
2010193606.tif 000003
【図２】
2010193606.tif 000004
【図３】
2010193606.tif 000005
【図４】
2010193606.tif 000006
【図５】
2010193606.tif 000007
【図６】
2010193606.tif 000008
【図７】
2010193606.tif 000009
【図８】
2010193606.tif 000010
【図９】
2010193606.tif 000011
【図１０】
2010193606.tif 000012
【図１１】
2010193606.tif 000013
【図１２】
2010193606.tif 000014
【図１３】
2010193606.tif 000015
【図１４】
2010193606.tif 000016
【図１５】
2010193606.tif 000017
【図１６】
2010193606.tif 000018
【図１７】
2010193606.tif 000019
【図１８】
2010193606.tif 000020